(57)【特許請求の範囲】
【請求項１】
本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備えたことを特徴とする暖房機器。
【請求項２】
本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備え、前記エアフィルタの上部には、前記バックカード上板に重合する重合部が設けられていることを特徴とする暖房機器。
【請求項３】
本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備え、前記バックガード上板には、前記フィルタ押さえ具に形成された固定軸部を挿入するカール部が一体に設けられていることを特徴とする暖房機器。
【請求項４】
前記フィルタ押さえ具が、一本の金属線材を折り曲げ加工することによって作られたものであることを特徴とする請求項１ないし３に記載の暖房機器。
【発明の詳細な説明】
【０００１】
【発明の属する技術分野】
本発明は、送風装置のファンガードが本体外装の背面部に設けられ、このファンガードの上方の本体外装の背面部には、バックガード上板が設けられた温風暖房機、輻射式暖房機等の暖房機器に関する。
【０００２】
【従来の技術】
この種の暖房機器は、送風装置のファンガードにエアフィルタを着脱可能に取り付け、ファンガードの通気部を通って埃が本体外装内に流入するのを防止するとともに、エアフィルタの掃除が簡単に行えるようする必要があるが、本体外装の背面部にバックガードが取り付けられた暖房機器では、そのバックガードによってファンガードが囲まれるため、バックガードの上板にフィルタ挿入口を形成し、そのフィルタ挿入口を介してエアフィルタをファンガードに取り付けることができるようにしている。そして、従来では、ファンガードの左右両端部に一対のガイドレールを上下方向に取り付け、これらガイドレールにフィルタ挿入口から挿入されたエアフィルタの左右両端部を係合することにより、エアフィルタを着脱可能にファンガードに取り付けることができるようにしている。
【０００３】
【発明が解決しようとする課題】
ところで、上述した従来の暖房機器では、ガイドレールがバックガード上板の下にあるため、ガイドレールへのエアフィルタの係合がスムーズに行えず、エアフィルタの出し入れに手間取る場合が多々あり、また、強度を高めるために、エアフィルタを金網で作る場合には、送風装置の駆動によるエアフィルタのガタツキが原因で、ヒビリ音が発生しやすくなる問題があった。
【０００４】
本発明は上述の実情に鑑みてなされたものであり、エアフィルタの出し入れを容易に行えるようにしつつ、安定状態でエアフィルタを取り付けることができるようにすることを目的としている。
【０００５】
【課題を解決するための手段】
請求項１に記載の本発明では、本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備えた構成である。
【０００６】
請求項２に記載の本発明では、本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備え、前記エアフィルタの上部には、前記バックカード上板に重合する重合部が設けられている構成である。
【０００７】
請求項３に記載の本発明では、本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金
属線材製のフィルタ押さえ具とを備え、前記バックガード上板には、前記フィルタ押さえ具に形成された固定軸部を挿入するカール部が一体に設けられている構成である。
【０００８】
請求項４に記載の本発明では、請求項１ないし３に記載の暖房機器において、前記フィルタ押さえ具が、一本の金属線材を折り曲げ加工することによって作られたものである。
【０００９】
【発明の実施の形態】
以下、本発明の一実施形態例を図１ないし図５に基づき説明する。図１において、１は前面に開放面２を有するとともに背面１Ａに空気吸込口３を有する暖房機器の本体外装であり、この本体外装１内には、バーナ送風機（図示せず）を内部に配したバーナ支持台４、石油を気化して燃焼させるバーナ５、赤熱体（図示せず）を内蔵した透光性の燃焼筒６及び熱交換箱７を下からその順序で上下方向に結合してなる燃焼装置８が収容されるとともに、前記空気吸込口３と開放面２との間には、この開放面２側を除く前記燃焼筒６の周囲に位置して断面弓形の垂直反射板９が設けられ、この垂直反射板９は前記空気吸込口３に対向する複数の透孔１０、１０を有している。また、前記本体外装１の開放面２には保護ガード１１が開閉自在、若しくは着脱自在に取り付けられている。
【００１０】
１２は室内空気を本体外装１内に取り入れる送風装置であり、この送風装置１２は本体外装１の背面１Ａに取り付けたファンガード１３と、このファンガード１３のモータ取付壁１３Ａに取り付けたモータ１４と、このモータ１４の駆動で回転するプロペラファン１５とから構成され、前記ファンガード１３のモータ取付壁１３には多数の通気孔１６、１６が設けられ、これら多数の通気孔１６、１６を介してファンガード１３内に吸引された室内空気は、空気吸込口３から本体外装１内に送り込まれる。
【００１１】
また、前記外装本体１の背面１Ａには、この外装本体１と室壁との間に所望の間隔を確保するためのバックカード１７が設けられ、このバックガード１７は、前記ファンガード１３の上方に位置するバックカード上板１８と、ファンガード１３の左右両側方に位置するバックカード側板１９とから構成され、前記バックカード上板１８には、図４及び図５に示すように、フィルタ挿入口２０が設けられ、このフィルタ挿入口２０の口縁部には、垂下片２１とこの垂下片２１の両側に位置する一対のカール部２２、２２とが一体形成されている。
【００１２】
２３は前記フィルタ挿入口２０からバックガード１７内に挿入されるエアフィルタであり、このエアフィルタ２３は、金網２４とこの金網２４の全周に装着された鋼板製の枠部２５とから構成され、このエアフィルタ２３の上部には、前記フィルタ挿入口２０周縁のバックカード上板１８の上面に重合する重合部２３Ａとこの重合部２３Ａの先端から上方に立ち上がる把手部２３Ｂが折り曲げ加工により形成されている。そして、このエアフィルタ２３は、フィルタ挿入口２０からバックガード１７内に挿入されると、前記ファンガード１３のモータ取付壁１３Ａの外面に重なり、モータ取付壁１３Ａの通気孔１６、１６を外側から覆うものである。
【００１３】
２６は、上部が前記バックカード上板１８に固定保持されるとともに、下部が前記エアフィルタ２３の金網２４に弾性的に当接してエアフィルタ２３をファンガード１３のモータ取付壁１３Ａに押しつける押さえ具である。
【００１４】
前記押さえ具２６は、下端の連結軸部２６Ａと、左右の主軸部２６Ｂ、２６Ｂと、これら主軸部２６Ｂ、２６Ｂの上端にそれぞれ設けられ、前記バックガード上板１８の下面に突き当てる突き当て軸部２６Ｃ、２６Ｃと、これら突き当て軸部２６Ｃ、２６Ｃの先端にそれぞれ設けられ、前記バックガード上板１８のカール部２２、２２に外側から挿入される固定軸部２６Ｄ、２６Ｄを有し、１本の金属線材を折り曲げ加工することにより作られている。
【００１５】
また、前記突き当て軸部２６Ｃに対する主軸部２６Ｂの曲げ角θは約９０度よりも小さく（実施形態例では約７０度）設定されており、前記固定軸部２６Ｄ、２６Ｄをカール部２２、２２に挿入してこの押さえ具２６をバックガード上板１８に取り付けると、この押さえ具２６はそれ自体のバネ性で連結軸部２６Ａがモータ取付壁１３Ａの外面に圧接する。
【００１６】
上記構成において、エアフィルタ２３は、それの把手部２３Ｂを持って上に引き上げると、引き出すことができ、エアフィルタ２３の掃除を行うことができる。また、掃除後は、フィルタ挿入口２０にエアフィルタ２３を差し込み、重合部２３Ａがバックガード上板１８に当接するまで押し下げれば、エアフィルタ２３を所定の位置に取り付けることができる。この時、押さえ具２６の連結軸部２６Ａがエアフィルタ２３の金網２４に弾接し、エアフィルタ２３をファンガードモータ取付壁１３Ａに押しつけることができる。
【００１７】
本実施形態例によれば、本体外装１の背面１Ａに設けられた送風装置１２のファンガード１３と、このファンガード１３よりも上方の本体外装１の背面１Ａに設けられたバックガード上板１８と、このバックガード上板１８に形成されたフィルタ挿入口２０と、このフィルタ挿入口２０より出し入れ自在に挿入され、ファンガード１３のモータ取付壁１３Ａの外面に重ねられて、モータ取付壁１３Ａに設けられた通気孔１６、１６を覆うエアフィルタ２３と、上部の固定軸部２６Ｄ、２６Ｄがバックガード上板１８に固定保持され、かつ、下部の連結軸部２６Ａがエアフィルタ２３の金網２４に弾性的に当接してそのエアフィルタ２３をファンガード１３のモータ取付壁１３Ａの外面に押しつける金属線材製のフィルタ押さえ具２６とを備えた構成であるから、エアフィルタ２３をフィルタ挿入口２０に差し込み、そのまま押し下げるだけで所定の位置にセットすることができ、エアフィルタ２３の着脱操作が簡便となるばかりでなく、セットされたエアフィルタ２３はフィルタ押さえ具２６によってファンガード１３に押しつけられるため、エアフィルタ２３のガタツキを阻止して安定状態で取り付けることが可能となり、エアフィル
タ２３を金網製としても、エアフィルタ２３のヒビリ音の発生を防止できる。また、フィルタ押さえ具２６を金属線材製としたことにより、フィルタ押さえ具２６が空気取入れの障害となるのを最小限に抑えることが可能となる。
【００１８】
また、前記エアフィルタ２３の上部には、バックカード上板１８の上面に重合する重合部２３Ａが設けられている構成であるから、重合部２３Ａによってエアフィルタ２３の下動位置を規制でき、エアフィルタ２３の下動位置を規制する格別の部品を必要としない。
【００１９】
また、前記バックガード上板１８には、フィルタ押さえ具２６に設けられた固定軸部２６Ｄを挿入するカール部２２が一体形成されている構成であるから、フィルタ押さえ具２６を格別の固定具を使用せずにバックガード上板１８に取り付けることが可能となり、部品点数や組立工数を削減できる。
【００２０】
【発明の効果】
請求項１に記載の暖房機器においては、本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備えた構成であるから、エアフィルタをフィルタ挿入口に差し込み、そのまま押し下げるだけでセットでき、バックガート付きの暖房機器におけるエアフィルタの着脱操作を簡便となせる。また、エアフィルタのガタツキをフィルタ押さえ具によって確実に阻止できるので、ヒビリ音の発生を防止することもできる。また、フィルタ押さえ具が金属線材にて作られているので、フィルタ押さえ具による空気取り入れの障害を最小限に抑えることができる。
【００２１】
請求項２に記載の暖房機器においては、本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備え、前記エアフィルタの上部には、前記バックカード上板に重合する重合部が設けられている構成であるから、請求項１に記載の効果に加えて、エアフィルタの下動位置を規制する格別の部品を必要としないで済み、構成を簡素化できる。
【００２２】
請求項３に記載の暖房機器においては、本体外装の背面部に設けられたファンガードと、このファンガードよりも上方の本体外装の背面部に設けられたバックガード上板と、このバックガード上板に形成されたフィルタ挿入口と、このフィルタ挿入口より出し入れ自在に挿入され、前記ファンガードに重ねられてファンガードの通気部を覆うエアフィルタと、上部が前記バックガード上板に固定保持され、かつ、下部が前記エアフィルタに弾性的に当接してそのエアフィルタをファンガードに押しつける金属線材製のフィルタ押さえ具とを備え、前記バックガード上板には、前記フィルタ押さえ具に形成された固定軸部を挿入するカール部が一体に設けられている構成であるから、請求項１に記載の効果に加えて、フィルタ押さえ具を、格別の固定具を使用せずにバックガード上板に取り付けることが可能となり、部品点数や組立工数を削減できる。
【図面の簡単な説明】
【図１】本発明の一実施形態例を示す暖房機器の一部切欠の側面図である。
【図２】同じく要部の拡大断面図である。
【図３】同じくフィルタ押さえ具単体の斜視図である。
【図４】同じくバックガード上板の要部平面図である。
【図５】同じく図４のＡ−Ａ断面図である。
【符号の説明】
１      本体外装
１Ａ    本体外装の背面（背面部）
１３      ファンガード
１６      通気孔（通気部）
１８      バックガード上板
２０      フィルタ挿入口
２２      カール部
２３      エアフィルタ
２３Ａ    重合部
２６      フィルタ押さえ具
２６Ｄ    固定軸部
【図１】
0003723329.tif 000002
【図２】
0003723329.tif 000003
【図３】
0003723329.tif 000004
【図４】
0003723329.tif 000005
【図５】
0003723329.tif 000006